(57)【要約】      （修正有）【課題】２重の靴下の間に発熱材を挿入し、靴下を足の甲や底の任意の位置を温めたり、冷したりることができる靴下を提供することにある。【解決手段】装着時の２倍程度の長さの靴下本体と、靴下本体を内側に折り返して２重にし、つま先部の上下に構成された挿入部と、つま先部の足底部分に設けられた開口部を有するカバー２とを備え、前記カバーを折り返してつま先部を覆うようにし、挿入部から発熱材を入れて足の任意の位置を加熱する。【選択図】図３
2015196938.tif 000002
【特許請求の範囲】
【請求項１】
一端をつま先状にした装着時の２倍程度の長さを有する靴下本体と、前記靴下本体の他端に設けられた挿入部と、前記挿入部の近傍に設けられた開口部を有するカバーとを備え、前記つま先形状部から内側に折り返して２重構造にし、前記つま先形状部の上下に構成された挿入部を前記カバーで覆うことを特徴とする２重構造靴下。
【請求項２】
つま先部の挿入部から発熱材を挿入し、任意の位置に装着することを特徴とする請求項１記載の２重靴下。
【請求項３】
開口部は、ゴムからなる弾性体であることを特徴とする、特許請求の範囲１叉は２に記載の２重靴下。
【請求項４】
内側靴下本体と、前記内側靴下本体とは別の爪先部に挿入部を有する外側靴下と、前記挿入部の足底部に設けられた開口部を有するカバーとを備え、前記内側靴下の上から前記外側靴下を履いたのち前記開口部を裏返して前記挿入部を前記カバーで覆うことを特徴とする２重構造靴下。
【発明の詳細な説明】
【技術分野】
【０００１】  本発明は、２重構造の靴下に関するものである。
【背景技術】
【０００２】従来、靴下に別生地の足底やポケットのようなものを設けて断熱材を挿入することにより足の冷えを解消するものがあった。
実登３０４６７９４では、靴下本体１の甲部分に小袋布１２を設け、断熱シート１５を装着することが示されている。
【先行技術文献】
【特許文献】
【０００３】
【特許文献１】実用新案登録公報  第３０４６７９４号
【発明の概要】
【発明が解決しようとする課題】
【０００４】  従来の手段では、発熱材等を装着する位置がポケットの部分に限られており、所定の部分しか温めることができないという問題があった。
本発明は、足の甲や底の任意の位置に発熱材等を設け、任意の位置を温めたり、冷したりることができる靴下を提供することを目的とするものである。
【課題を解決するための手段】
【０００５】  本発明の２重構造靴下は一端をつま先形状にした装着時の２倍程度の長さを有する靴下本体と、この靴下本体の他端部に設けられた挿入部を有するカバーとを備え、つま先形状から内側に折り返して２重構造にし、つま先形状部の上下に構成された挿入部から発熱材を挿入した後カバーで覆うものである。
【発明の効果】
【０００６】  本発明の２重構造靴下は、つま先形状部の上下に挿入部があるので足底や甲の部分のみならず、足首・脛・ふくらはぎ、などにも発熱材を挿入することができる。
また、足に装着した場合には、足底部に縫製や開口部がないので着用時の違和感がなく快適に着用することができるばかりでなく、足の甲は２重構造のうえにさらにカバーで覆われるので保温効果が高い。
【図面の簡単な説明】
【０００７】
【図１】本発明の２重構造靴下の実施例を示す製造後の構成図である。
【図２】（ａ）本発明の２重構造靴下の実施例を示す組立時の正面図である。（ｂ）本発明の２重構造靴下の実施例を示す組立時の背面図である。（ｃ）本発明の２重構造靴下の実施例を示す組立時の断面図である。
【図３】（ａ）本発明の２重構造靴下の実施例を示す正面図である。（ｂ）本発明の２重構造靴下の実施例を示す背面図である。（ｃ）本発明の２重構造靴下の実施例を示す左側面図である。（ｄ）本発明の２重構造靴下の実施例を示す右側面図である。（ｅ）本発明の２重構造靴下の実施例を示す底面図である。（ｆ）本発明の２重構造靴下の実施例を示す平面図である。（ｇ）本発明の２重構造靴下の実施例を示す断面図である。（ｈ）本発明の２重構造靴下の実施例を示す着用時の断面図である。
【図４】（ａ）本発明の２重構造靴下の実施例を示す足底の写真である。（ｂ）本発明の２重構造靴下の実施例を示す側面の写真である。
【図５】（ａ）本発明の２重構造靴下の実施例を示す甲側の写真である。（ｂ）本発明の２重構造靴下の実施例を示す側面の写真である。
【図６】（ａ）本発明の２重構造靴下の実施例を示すカイロ装着時（甲側）の断面図である。（ｂ）本発明の２重構造靴下の実施例を示すカイロ装着時（脛側）の断面図である。
【図７】本発明の２重構造靴下の他の実施例を示す断面図である。
【発明を実施するための形態】
【０００８】本発明の実施例を図に基づいて説明する。
【実施例１】
【０００９】  図１は、本発明の実施例の製造後の構成を示すものであり、２重構造にする前の状態を示したものである。靴下本体１は、装着した時の２倍程度の長さで構成されており、袋状の一端は先丸のつま先形状部１ａになっており他端は挿入部１ｂを有している。挿入部１ｂの近傍にはカバー２が、糸５によって３辺を縫い付けられており、カバー２の他の１辺は開口部を有しており、裏ゴムリブ編みの弾性のある編地からなる弾性体３が設けられている。カバー２は、靴下本体１と異なる生地で製作しても良いが、通常は同一の生地で製作する。同一生地の場合には、図１の状態でカバー２は裏地が外側になり、表地が内側になるように構成されている。【００１０】  次に着用時の動作について述べる。つま先形状部１ａを内側にし折り返し２重にして半分の長さにし、図２に示すようにつま先形状部１ａが挿入部１ｂより突き出た形にする。図２（ａ）は、正面を示した図であり、図２（ｂ）は背面を示した図であり、図２（ｃ）は実際に靴下を着用した時の組立時の断面図である。このとき、カバー２は足底に位置し、つま先形状部１ａの上下に挿入部１ｂがそれぞれ位置する。この状態で挿入部１ｂから発熱材４を挿入する。【００１１】  次に、図３に示すように足底にあるカバー２を開口部である弾性体３を、つま先形状部１ａの方向に折り返して裏向きにして、図３（ｈ）に示すようにつま先から甲にかけて覆うようにする。カバー２の部分が、甲側に移動し装着したときに３のリブ編み部分の弾性効果によりフィット感をもたせる事ができる。又、つま先部分が３重になるため保温効果も高まる。つま先部分を移動させ挿入部を隠すことで、挿入部が見えず普通の靴下と変わらない外観で着用する事ができる。
図２（ｃ）の足底にあるカバー部分の内側面２（ａ）は甲部分に移動すると、甲の外側に移動する事となる形状である。尚、図３の正面図においてカバー２の表側と本体とは同一の生地となる。
図４は図２（ｃ）の状態を示す写真であり、図５は図３（ｈ）の時の状態を示す写真である。
【実施例２】
【００１２】図６（ａ）は、発熱材４として使い捨てカイロを足の甲の部分に用いた例であり、図（ｂ）は足の脛に用いた例である。この実施例以外に足の底や足首あるいはふくらはぎに用いても良い。発熱材４の代わりに冷却材や消臭剤を用いれば他の用途にも使用が可能である。
【実施例３】
【００１３】  図７は２重構造靴下の他の実施例を示す図である。内側靴下６と、挿入部を有する外側靴下７の別々の靴下を着用した時の状態を示すものである。尚、実施例１〜３のつま先１ａ部は先丸形状だが、タビ形状・３本指形状・５本指形状など異なる形状も可能である
【符号の説明】
【００１４】１  靴下本体
２  カバー
３  開口部（弾性体）
４  発熱材
６  内側靴下
７  外側靴下
【図１】
2015196938.tif 000003
【図２】
2015196938.tif 000004
【図３】
2015196938.tif 000005
【図４】
2015196938.tif 000006
【図５】
2015196938.tif 000007
【図６】
2015196938.tif 000008
【図７】
2015196938.tif 000009